【事件の表示】
　特許第３３０５１９８号「画像形成装置およびその制御方法」の請求項１ないし４２に係る特許に対する特許異議の申立てについて、次のとおり決定する。
【結　論】
　特許第３３０５１９８号の請求項１ないし４２に係る特許を取り消す。
【理　由】
１．手続の経緯及び本件特許発明
　特許第３３０５１９８号の請求項１〜４２に係る発明は、平成８年３月２７日（特許法第４１条に基づく優先権主張日　平成７年３月２８日）に出願されたものであって、平成１４年５月１０日に特許権の設定登録がなされたところ、特許異議申立人江原隆彦より全請求項（請求項１ないし４２）に係る特許について特許異議の申立がなされ、当審より取消理由が通知され、特許権者より該取消理由に対する意見書が提出されたものである。
　そして、本件特許の請求項１ないし４２に係る発明は、明細書の特許請求の範囲の請求項１〜４２に記載された次のとおりのものである。
「　　【請求項１】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段と、
　前記画像形成手段により前記シート上に形成される前記複数の画像を処理する画像処理手段と、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理手段により処理させ、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理手段により処理させる制御手段とを備え、
　前記画像形成手段は、前記制御手段によって前記画像処理手段に処理させた画像を前記シート上に形成することを特徴とする画像形成装置。
　　【請求項２】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段と、
　前記画像形成手段により前記シート上に形成される前記複数の画像を処理する画像処理手段と、
　前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理手段により処理させ、
　前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ（８Ｎ−２）ページ、（８Ｎ−３）ページ、８Ｎページ、（８Ｎ−１）ページの画像が形成されるように前記複数の画像を前記画像処理手段により処理させる制御手段とを備え、
　前記画像形成手段は、前記制御手段によって前記画像処理手段により処理させた画像を前記シート上に形成することを特徴とする画像形成装置。
　　【請求項３】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段と、
　前記画像形成手段により前記シート上に形成される前記複数の画像を処理する画像処理手段と、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理手段により処理させ、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理手段により処理させる制御手段とを備え、
　前記画像形成手段は、前記制御手段によって前記画像処理手段により処理させた画像を前記シート上に形成することを特徴とする画像形成装置。
　　【請求項４】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段と、
前記画像形成手段により前記シート上に形成される前記複数の画像を処理する画像処理手段と、
　前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理手段により処理させ、
　前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ（８Ｎ−２）ページ、（８Ｎ−３）ページ、８Ｎページ、（８Ｎ−１）ページの画像が形成されるように前記複数の画像を前記画像処理手段により処理させる制御手段とを備え、
　前記画像形成手段は、前記制御手段によって前記画像処理手段により処理させた画像を前記シート上に形成することを特徴とする画像形成装置。
　　【請求項５】　原稿の画像を読み取る読取手段を備え、
　前記画像処理手段は、前記読取手段により読み取られた画像を処理することを特徴とする請求項１乃至４の何れかに記載の画像形成装置。
　　【請求項６】　前記画像形成手段から排出されたシートの後端を綴じる結合手段を備えたことを特徴とする請求項１乃至４の何れかに記載の画像形成装置。
　　【請求項７】　前記第１のモードは前記結合手段によりシートの長辺を綴じる場合のモードを含み、前記第２のモードは前記結合手段によりシートの短辺を綴じる場合のモードを含むことを特徴とする請求項６記載の画像形成装置。
　　【請求項８】　前記制御手段は、前記第１モードの場合、前記シートの表面に形成される画像の向きと前記シートの裏面に形成される画像の向きとが同一方向になるよう前記画像処理手段に画像を処理させ、前記第２モードの場合、前記シートの表面に形成される画像の向きと前記シートの裏面に形成される画像の向きとが逆方向になるよう前記画像処理手段に画像を処理させることを特徴とする請求項１乃至４の何れかに記載の画像形成装置。
　　【請求項９】　前記複数の画像は横書きの画像であることを特徴とする請求項１又は２記載の画像形成装置。
　　【請求項１０】　前記複数の画像は縦書きの画像であることを特徴とする請求項３又は４記載の画像形成装置。
　　【請求項１１】　前記制御手段は、オペレータからの設定に従って前記複数の画像を前記画像処理手段に処理させることを特徴とする請求項１乃至４の何れかに記載の画像形成装置。
　　【請求項１２】　前記第１のモードはシートの長辺に沿って綴じ代を設ける設定の場合のモードを含み、前記第２のモードはシートの短辺に沿って綴じ代を設ける設定の場合のモードを含むことを特徴とする請求項１乃至４の何れかに記載の画像形成装置。
　　【請求項１３】　前記第１のモードはシートを横送りする場合のモードを含み、前記第２のモードはシートを縦送りする場合のモードを含むことを特徴とする請求項１乃至４の何れかに記載の画像形成装置。
　　【請求項１４】　前記画像処理手段は、コンピュータで作成した画像を処理することを特徴とする請求項１乃至４の何れかに記載の画像形成装置。
　　【請求項１５】　前記画像の向き、配置を決定する為のテーブルを複数有し、ユーザにより選択可能にすることを特徴とする請求項１乃至４の何れかに記載の画像形成装置。
　　【請求項１６】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項１７】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ（８Ｎ−２）ページ、（８Ｎ−３）ページ、８Ｎページ、（８Ｎ−１）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項１８】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項１９】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ（８Ｎ−２）ページ、（８Ｎ−３）ページ、８Ｎページ、（８Ｎ−１）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項２０】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、　前記シート上に形成される前記複数の画像がポートレート形式の画像で、前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項２１】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がポートレート形式の画像で、前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項２２】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がポートレート形式の画像で、前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項２３】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がポートレート形式の画像で、前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。　
　　【請求項２４】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がランドスケープ形式の画像で、前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項２５】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、　前記画像形成手段により前記シート上に形成される前記複数の画像を処理する画像処理ステップと、
　前記シート上に形成される前記複数の画像がランドスケープ形式の画像で、前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項２６】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がランドスケープ形式の画像で、前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項２７】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記シート上に形成される前記複数の画像がランドスケープ形式の画像で、前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記シートの短辺を綴じようとする為の第２のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させ、前記シートの長辺を綴じようとする為の第１のモードの場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理さ　前記制御ステップによって前記画像処理ステップで処理させた画像を前記画像形成手段により前記シート上に像形成させることを特徴とする画像形成装置の制御方法。
　　【請求項２８】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの長辺を綴じようとする為の第１モードでかつ前記複数の画像がポートレート形式の画像である場合、又は前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記第１モードでかつ前記複数の画像がランドスケープ形式の画像である場合、又は前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつ前記複数の像が前記ポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項２９】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの短辺を綴じようとする為の第１モードでかつ前記複数の画像がランドスケープ形式の画像である場合、又は前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記第１モードでかつ前記複数の画像がポートレート形式の画像である場合、又は前記（８Ｎ−７）ページ、（８Ｎ−６）ページ、（８Ｎ−５）ページ、（８Ｎ−４）ページの画像をそれぞれ前記シートの表面の左上、左下、右上、右下に形成する場合において、前記第１モードでかつランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項３０】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの長辺を綴じようとする為の第１モードでかつ前記複数の画像がポートレート形式の画像である場合、又は前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記第１モードでかつ前記複数の画像がランドスケープ形式の画像である場合、又は前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつ前記複数の画像が前記ポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を前記画像処理ステップにて処理させる制御ステップとを備え、
　前記制御ステップによって前記画像処理ステップで処理させた画像を前記画像形成手段により前記シート上に像形成させることを特徴とする画像形成装置の制御方法。
　　【請求項３１】　Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成する画像形成手段を有する画像形成装置の制御方法であって、
　前記画像形成手段により前記シート上に形成される前記複数の画像を処理する画像処理ステップと、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記シートの短辺を綴じようとする為の第１モードでかつ前記複数の画像がランドスケープ形式の画像である場合、又は前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を前記画像処理ステップにて処理させ、
　前記（８Ｎ−７）ページ、（８Ｎ−６）ページ、（８Ｎ−５）ページ、（８Ｎ−４）ページの画像をそれぞれ前記シートの表面の右上、左上、右下、左下に形成する場合において、前記第１モードでかつ前記複数の画像がポートレート形式の画像である場合、又は前記（８Ｎ−７）ページ、（８Ｎ−６）ページ、（８Ｎ−５）ページ、（８Ｎ−４）ページの画像をそれぞれ前記シートの表面の右上、右下、左上、左下に形成する場合において、前記第１モードでかつランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画
像が形成されるように前記複数の画像を前記画像処理ステップにて処理させる制御ステップを備え、
　前記制御ステップによって前記画像処理ステップで処理させた画像を前記画像形成手段により前記シート上に像形成させることを特徴とする画像形成装置の制御方法。
　　【請求項３２】　前記画像形成装置は原稿の画像を読み取る読取手段を備え、
前記画像処理ステップでは、前記読取手段により読み取られた画像を処理することを特徴とする請求項１６乃至３１の何れかに記載の画像形成装置の制御方法。
　　【請求項３３】　前記画像形成装置は前記画像形成手段から排出されたシートの後端を綴じる結合手段を有すことを特徴とする請求項１６乃至２７の何れかに記載の画像形成装置の制御方法。
　　【請求項３４】　前記第１のモードは前記結合手段により前記シートの長辺を綴じる場合のモードを含み、前記第２のモードは前記結合手段により前記シートの短辺を綴じる場合のモードを含むことを特徴とする請求項３３記載の画像形成装置の制御方法。
　　【請求項３５】　前記制御ステップは、前記第１モードの場合、前記シートの表面に形成される画像の向きと前記シートの裏面に形成される画像の向きとが同一方向になるよう前記画像処理ステップで画像を処理させ、前記第２モードの場合、前記シートの表面に形成される画像の向きと前記シートの裏面に形成される画像の向きとが逆方向になるよう前記画像処理ステップで画像を処理させることを特徴とする請求項１６乃至２７の何れかに記載の画像形成装置の制御方法。
　　【請求項３６】　前記複数の画像は横書きの画像であることを特徴とする請求項１６、１７、２０、２１、２４、２５、２８、２９の何れかに記載の画像形置の制御方法。
　　【請求項３７】　前記複数の画像は縦書きの画像であることを特徴とする請求項１８、１９、２２、２３、２６、２７、３０、３１の何れかに記載の画像形成装置の制御方法の制御方法。
　　【請求項３８】　前記制御ステップは、オペレータからの設定に従って前記複数の画像を前記画像処理ステップにて処理させることを特徴とする請求項１６乃至３１の何れかに記載の画像形成装置の制御方法。
　　【請求項３９】　前記第１のモードはシートの長辺に沿って綴じ代を設ける設定の場合のモードを含み、前記第２のモードはシートの短辺に沿って綴じ代を設ける設定の場合のモードを含むことを特徴とする請求項１６乃至２７の何れかに記載の画像形成装置の制御方法。
　　【請求項４０】　前記第１のモードはシートを横送りする場合のモードを含み、前記第２のモードはシートを縦送りする場合のモードを含むことを特徴とする請求項１６乃至２７の何れかに記載の画像形成装置の制御方法。
　　【請求項４１】　前記画像処理処理ステップでは、コンピュータで作成した画像を処理することを特徴とする請求項１６乃至３１の何れかに記載の画像形成装置の制御方法。
　　【請求項４２】　前記画像の向き、配置を決定する為のテーブルを複数有し、ユーザにより選択可能にすることを特徴とする請求項１６乃至３１の何れかに記載の画像形成装置の制御方法。　」
　
２．本件出願の優先権主張日前に頒布された刊行物に記載の技術
　当審が通知した特許の取消理由に引用した本件出願の優先権主張日前に頒布された各刊行物には、次のような技術が記載されている。
　
　刊行物１（特開平４−８６０７０号公報）
　明細書の特許請求の範囲には「印刷データおよび印刷制御情報が入力される入力装置と、印刷を実行する印刷装置と、前記入力装置から印刷データおよび印刷制御情報を受けて、前記印刷装置を制御するコントロール装置とから成るカット紙プリンタにおいて、該コントロール装置内に、印刷データに関してノーマルイメージングを行うイメージング部と逆イメージングを行う逆イメージング部とを具え、綴じ形式が長辺綴じか短辺綴じか、ページオリエンテーションがランドスケーブ方式かボートレート方式か、印刷するページが偶数ページか奇数ページかに応じてイメージング制御を行うことを特徴とするカット紙プリンタ」が記載されている。
　また、第３頁右上欄１２〜１７行目に「従来のカット紙プリンタでは、カット紙１１の綴じ穴１４のある辺の方向を紙送り方向１７に一致させてフィーダーにセットし、両面印刷を行って綴じた場合、見開きページで記事の方向が逆になってしまうという問題点があった。」が記載されている。
　また、第４頁左上欄１７行〜右上欄７行目に「従来のようにどのページもノーマルイメージングだけを行って両面印刷したのでは、紙送り方向と同じ方向の辺で綴じる場合には、見開きページで記事の方向が逆転する。しかし、本発明では、ノーマルイメージングをしたのでは隣のページの記事とは逆転することになってしまうページを印刷する際には、逆イメージングにより１８０度回転（反転）して印刷することが可能となる。これにより、見開きページでの記事の方向が逆転することがなくなる。」が記載されている。
　これらの記載によれば、刊行物１には、入力装置と印刷装置とコントロール装置とから成るカット紙プリンタにおいて、綴じ形式が長辺綴じか短辺綴じか、ページオリエンテーションがランドスケープ方式かポートレート方式か等に応じてイメージング制御を行うことにより見開きページで記事の方向が逆転しないようにしたカット紙プリンタに関する発明が記載されているということができる。
  
　刊行物２（特開平５−２３２７６０号公報）
　明細書の【０００３】に「・・・本発明は、・・・その目的とするところは、原稿の置き方が変わっても、その複写状態が図２８（ｅ）に示すような両面コピーとならず、正規の状態にて両面コピーが行える画像複写装置を提供することである。」と記載されている。
　明細書の【０００６】に「【実施例】以下、添付図面を参照して、本発明に係る好適な実施例を詳細に説明する。図１、及び図２は、本発明の実施例に係る画像複写装置の概略内部構成の一例を示す図である。同図に示す画像複写装置の主要構成として、その上部にデジタルカラー画像を読み取るデジタルカラー画像読取装置（以下、「カラーリーダ」と称する）１、下部にデジタルカラー画像を印刷出力するデジタルカラー画像プリント装置（以下、「カラープリンタ」と称する）２、そして、画像記憶装置３を有する。」と記載されている。
　また、明細書の【００７２】〜【００７５】には「【００７２】・・・本変形例では、図２６に示すように、用紙の長手方向に綴じる（Ａ）と用紙の短手方向に綴じる（Ｂ）を考慮に入れることにより画像の回転方向を決定する。そこで、図２６に示すフローチャートに従い、本変形例における両面コピー時の回転方向の設定手順について説明する。同図のステップＳ２５０１では、選択されている用紙が横向きの用紙か、あるいは縦向きの用紙かを判断する。その判断の結果、用紙が横向きであればステップＳ２５０２に進み、縦向きであればステップＳ２５０３に進む。これらステップＳ２５０２、及びステップＳ２５０３では、原稿の向きが横向きか、あるいは縦向きかを判断する。【００７３】ステップＳ２５０２において、原稿が横向きであると判断された場合はステップＳ２５０４の処理へ、また、縦向きと判断された場合はステップＳ２５０５の処理へ進む。一方、ステップＳ２５０３において、原稿が横向きと判断された場合はステップＳ２５０６、縦向きと判断された場合はステップＳ２５０７の処理がそれぞれ行なわれる。ステップＳ２５０４，ステップＳ２５０５，ステップＳ２５０６、及びステップＳ２５０７では、図１に示す上記実施例に係る画像複写装置の操作部２０に配設された、図２７（ａ），（ｂ）に示す綴じ方向の設定を行なう、図示しない綴じ方向設定キーにより設定されたモードにより、綴じ方向が長手か、あるいは短手方向かを判断する。【００７４】ステップＳ２５０４において、綴じ方向が長手方向と判断された場合はステップＳ２５０８へ、綴じ方向が短手方向である場合はステップＳ２５１２へ進む。また、ステップＳ２５０５において、綴じ方向が長手方向と判断された場合はステップＳ２５０９へ、綴じ方向が短手方向の場合はステップＳ２５１３へ進み、同様に、ステップＳ２５０６において、綴じ方向が長手方向と判定されるとステップＳ２５１０へ、綴じ方向が短手方向である場合にはステップＳ２５１４へ進む。さらに、ステップＳ２５０７において、綴じ方向が長手方向と判断された場合はステップＳ２５１１へ、綴じ方向が短手方向の場合にはステップＳ２５１５へそれぞれ進み、回転方向の設定が行なわれる。【００７５】このように、出力用紙の綴じ方向を考慮に入れて画像回転角を決定することで、正規な状態で両面コピーが行なえる。なお、本発明は、複数の機器から構成されるシステムに適用しても、１つの機器から成る装置に適用しても良い。」という記載がある。
　従って、上記刊行物２には、デジタルカラー画像読取装置とデジタルカラー画像プリント装置を備え、シートということができる出力用紙の両面に、綴じ方向が長手方向でも短手方向でも正規な状態となるように、装置への原稿の置き方を検出してその画像を適宜回転角を綴じ方向を考慮に入れて決定してそのとおりに回転制御することにより正しい向きに画像が形成されるようにして、正規の状態でコピーを行う両面複写装置が開示されているということができる。
　
　刊行物３（特開平６−１８３０９５号公報）
　【０００６】、【０００７】に「【０００６】・・・１枚の印刷用紙に複数のページを印刷する際に、Ｎアップで印刷させた文書の各ページ配置をユーザの指定通りに設定することができる印刷処理装置を提供することを目的とする。【０００７】さらに、１枚の印刷用紙に複数のページを印刷する際に、その印刷用紙に対して綴じ代の位置および値をユーザの指定通りに設定することができる印刷処理装置を提供することを目的とする。」という記載がある。
　また、【００２９】に「上記実施例１の印刷処理装置では、印刷用紙に各ページを配置する場合、決まった位置に配置するようにしているので、縦書きの文書や横書きの文書などでは、Ｎアップで印刷させた文書の各ページの並びが不自然になり、読みにくくなることもある。この実施例では、印刷用紙上におけるページ配置の設定を可能とした印刷処理装置について説明する。」という記載がある。
また、【００３３】〜【００３６】に「【００３３】印刷開始位置決定手段２３は前記取得された印刷用紙サイズとＮアップ値から、印刷用紙における各ページの印刷開始位置を決定する。【００３４】ページ配置値取得手段２４は指定されたページ配置値を取得する。ページ配置値とは、１枚の印刷用細上に印刷されるページの配置を表している。例えば４アップのときのページの配置パターンは図７のようになる。４アップの場合は、ケース１からケース２４までの２４通りの配置パターンがあり、ユーザは自分の使用したい配置パターンを指定する。配置パターンの指定は、例えばワークステーションで文書を作成した場合は、ブロパティィシート上に表示された４分割の領域に対して、キーボードやマウスにより直接ページ番号を入力するという方法がある。例えば、ユーザがケース１の配置パターンで指定を行いたいときは、左上の領域に「３」、右上の領域に「１」、左下の領域に「４」、右下の領域に「２」を入力する。この結果、「左上３、右上１、左下４、右下２」というページ配置値が取得されることになる。【００３５】このように、コーザは縦書きや横書きのなどの書式に応じて、配置パターンを任意に設定することができる。なお、配置パターンを指定したときに、例えばページ番号が重複して指定されたり、ページ番号が連続していないときなどは、ユーザに対してエラーメッセージを表示するようにしていもよい。また、図７において、黒丸は４アップの場合の各ページの印刷開始位置を示している。【００３６】ページ配置決定手段２５は前記ページ配置値と各ページの印刷開始位置との関係を表したテーブルを作成した後、それをＮアップ変換装置４に出力する。」という記載がある。
　これらの記載によれば、１枚の印刷用紙に例えば４ページを印刷するに際し、ユーザがページの配置パターン（左上、右上、左下、右下等の順）及び各ページの印刷開始位置を指定できるように、この関係を表したテーブルを作成し、これを利用することにより読みやすい４ページ印刷ができるようにした印刷処理装置であって、この印刷処理装置は綴じ代の位置及び値をユーザの指定とおりにすることができるようにしている発明が記載されているということができる。
　
　刊行物４（特開平６−３１１３３４号公報）
【００１５】、【００１６】に、「【００１５】以上の構成からなる複写機は、通常モードでは１枚の原稿の画像を読み取って、その画像データに必要な補正を加えて印字データを生成し、この印字データを光学系６０で出力し、１枚のシート上に画像を形成する。これに加えて、Ｎｉｎ１モード（２ｉｎｌモード及び４ｉｎ１モード）を選択して処理可能である。Ｎｉｎ１モードでは２枚又は４枚の原稿画像を読み取って、その天地方向及び文章方向をメモリユニット３０で認識し、各原稿画像の天地及び文章の縦横が一致するように各原稿画像を配置する。【００１６】画像の配置は、図１４に示すように、・・・４ｉｎ１モードの場合、各原稿画像を１／４に縮小のうえ、ボートレートであれば（ｅ），（ｆ）に示すように、ランドスケーブであれば（ｇ），（ｈ）に示すように配置する。」という記載がある。
　また、同号証の図２１乃至２８およびその説明においては、４ｉｎ１機能を用いて画像形成を行うに際して、画像の配置を種々取りうろことが記載されている。
　これらの記載によれば、複数の原稿画像を１枚のシート上に印字可能なように原稿画像の天地および原稿文章の縦横を揃えて並び換えることのできる編集機能を備えた画像形成装置が開示されている。
　
　刊行物５（特開平２−４５４３号公報）
  第１１頁右上欄１８行〜左下欄１行目に「第７Ａ図ないし第７Ｐ図を参照すれば、好ましい実施例において、指定することのできる各方向（ポートレート或いはランドスケーブ）ごとに８つの種々のページシーケンス即ち順序がある」という記載がある。
　また、シート１枚に９ページを印刷するする際のページシーケンス即ち順序の具体的例示が記載されている。
　
　刊行物６（特開平７−６５１２０号公報）
  【００６６】、【００６７】には、「【００６６】図２０は４ｉｎ１コピーの結果を示したものである。図２０に示すように、４枚の原稿の天地を揃えて４ｉｎ１コピーが行われるとともに、原稿の縦書き・横書きによって配列順序を変更している。もちろんユーザーの好みに応じて、４つの原稿画像を図２０とは異なる配列としてもよい。【００６７】なお、上記の画像回転処理やＮｉｎ１処理に限らず、とじしろ作成位置やステープル位置など、原稿の載置方向や原稿の種類に応じて位置を変更する必要のあるコピー処理に本実施例に示したような原稿情報判別機能を利用してもよい。」という記載がある。
　
３．本件各請求項に係る発明の進歩性の有無に関する判断
　そこで、本件請求項１に係る発明から順次、特許を受けることができるものであるかどうかを検討する。
　本件請求項１に係る発明と刊行物２に開示の発明を対比すると、刊行物２に開示の発明の「デジタルカラー画像プリント装置」が本件請求項１に係る発明の「画像形成手段」に相当することは明らかであり、また、刊行物２に開示の発明の「綴じ方向が長手方向でも短手方向でも正規な状態となるように、装置への原稿の置き方を検出してその画像を適宜回転角を綴じ方向を考慮に入れて決定してそのとおりに回転制御することにより正しい向きに画像が形成されるようにする」ための手段が本件請求項１に係る発明の「画像処理手段」に相当することは明らかである。
　そうすると、本件請求項１に係る発明と刊行物２に開示の発明とは、
「画像をシートの表面に形成すると共に、画像をそのシートの裏面に形成する画像形成手段と、画像形成手段によりシート上に形成される複数の画像を処理する画像処理手段と、を備え、前記画像形成手段は、前記制御手段によって前記画像処理手段に処理させた画像を前記シート上に形成することを特徴とする画像形成装置。」の点で一致し、
本願請求項１に係る発明が、「Ｎを自然数として４ページ分の画像である（８Ｎ−７）ページ、（８Ｎ−６）ページ、（８Ｎ−５）ページ、（８Ｎ−４）ページの画像をシートの表面に形成すると共に、他の４ページ分の画像である（８Ｎ−３）ページ、（８Ｎ−２）ページ、（８Ｎ−１）ページ、８Ｎページの画像をそのシートの裏面に形成するものであって、前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記シートの長辺を綴じようとする為の第１モードでかつ前記複数の画像がポートレート形式の画像である場合、又は前記シートの短辺を綴じようとする為の第２モードでかつ前記複数の画像がランドスケープ形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−２）ページ、（８Ｎ−３）ページ、８Ｎページ、（８Ｎ−１）ページの画像が形成されるように前記複数の画像を処理させ、
　前記（８Ｎ−７）ページ、（８Ｎ−６）ページ、（８Ｎ−５）ページ、（８Ｎ−４）ページの画像をそれぞれ前記シートの表面の左上、右上、左下、右下に形成する場合において、前記第１モードでかつ前記複数の画像がランドスケープ形式の画像である場合、又は前記第２モードでかつ前記複数の画像がポートレート形式の画像である場合、前記シートにおける前記（８Ｎ−７）ページ、（８Ｎ−６）ページ、（８Ｎ−５）ページ、（８Ｎ−４）ページの裏にそれぞれ前記（８Ｎ−１）ページ、８Ｎページ、（８Ｎ−３）ページ、（８Ｎ−２）ページの画像が形成されるように前記複数の画像を処理させる」ものであるのに対して、刊行物２に開示の発明は、「綴じ方向が長手方向でも短手方向でも正規な状態となるように複数の画像を回転制御することにより正しい向きに画像が形成されるように処理させる」ものである点で相違する。
　そこでこの相違点について検討する。
　シートの１面に複数の画像を形成することは、刊行物３〜刊行物６として例示するように周知事項と認められる。
　ところで、文章が表裏に印刷されている複数枚の紙葉を綴じて書物（本）形式にしたものにおいては、ページをめくって裏面をみたときにも表面と同じ体裁となっていた方が見易いためそのようにするのが普通であって、１ページに原文書の４ページ分を掲載するいわゆる４ｉｎ１形式のものも、例えば、平成２年１１月３０日以前の特許出願の願書添付の明細書を掲載した公開特許公報もそのようにしていた。
　即ち、平成２年１１月３０日以前の特許出願の願書添付の明細書の各ページは、ポートレート形式の横書きで、それを掲載した公開特許公報は、長辺綴じで最初のページには上半分に出願番号その他の書誌的事項が掲載され下半分に左下右下の順に原明細書の第１ページ、第２ページと続き、ページをめくってその裏面をみたときに左上、右上、左下、右下の順に原明細書の第３ページ、第４ページ、第５ページ、第６ページが配置され、次のシート以降にも同様に表裏に左上、右上、左下、右下の順に原明細書の第７ページ以降が配置されて掲載されていた。
　ところで、文章が表裏に印刷されている複数枚の紙葉を綴じて書物（本）形式にしたものにおいて、ページをめくって裏面をみたときにも表面と同じ体裁となっているようにするということは、例えば、シートの表面に左上、右上、左下、右下の順に４ぺージを割り付ける場合は、シートをめくって裏面をみたときもそれに続く４ページが左上、右上、左下、右下の順に割り付けられている必要があるから、シートの表面、裏面ともにシートのその面と対面する側から画像を形成（プリント）することを前提とする限りは、シートの表面と裏面で４ページの配列順序を変える必要はなく（綴じ部を上側とするか左側または右側とするかに応じてページをめくって裏面をみたときにそのシートの上下関係が逆転するか否かが決まるから、４ページ分の画像を全体的に上下逆転（１８０度回転）させるか否かをする必要があることも当然かつ自明のことである。）、したがって、１冊に綴じ合わせるシートの表面裏面単位でみれば４ページの配列順序は全て同じでよいから、表面の各ページの配置されている個所に相当する裏面上の箇所がそれぞれ第何ページに当たるかが分かってそれを特定しても、当然かつ自明のことを特定することになるだけであって、割付をどうするかについて考えるときに特段意味のあるものとも考えられ難いが、その点はしばらく措き、以下考察する。
　上記公開特許公報において、原明細書の各４ページを表面裏面それぞれに配置する場合の各紙葉（シート）の表面裏面に原明細書の各ページをどのように割り付ければよいかを考えるときは、前記公開特許公報をみればすぐに確認できることであるが、前記公開特許公報をみなくても、手許にある紙葉の表面に左上、右上、左下、右下の順に１，２，３，４と書き、綴じ部とするところの左端を中心にその紙葉を裏返して、その裏返した面に左上、右上、左下、右下の順に５，６，７，８と書いて、表面の１，２，３，４に対応する裏面に５，６，７，８がどのような配置になっているかをみれば、表面の１，２，３，４に対応する裏面には、それぞれ６，５．８，７があることが分かり、９頁以降についてもこれに順に８の倍数すなわち８，１６，２４・・・の数を加えただけですむことは明らかであるから、長辺綴じで表面に左上、右上、左下、右下の順に原明細書のページを割り付けるものにおいては、（８Ｎ−７）ページ、（８Ｎ−６）ページ、（８Ｎ−５）ページ、（８Ｎ−４）ページの裏面には、それぞれ（８Ｎ−２）ページ、（８Ｎ−３）ページ、（８Ｎ）ページ、（８Ｎ−１）ページを割り付ければよいことは、当業者でなくても格別思考することなく想到する程度のものと認められる。
　ところで、、日本語の文書は、紙葉（シート）を縦長に用いるポートレイト形式の場合と、横長に用いるランドスケープ形式の場合があり、文章の記載形式も、左上から始めて１行が左から右に書かれその下に２行目以降が同様に書かれる横書き形式と、右上から始めて１行が上から下に書かれその左に２行目以降が同様に書かれる縦書き形式とがあり、紙葉（シート）を綴じて本形式にする場合は、横書きの場合は左側か上側を綴じた形式にするのが普通であり、縦書きの場合は右側か上側を綴じた形式にするのが普通である。そして、左側か右側を綴じる形式にするときは表面と裏面で各ページの上下を同じ向きにすればよいが、上側を綴じる形式にするときは、表面と裏面で各ページの上下の向きを反対にする必要があることも明らかである。
　更に、各紙葉（シート）にオリジナル文書の４ページをどのように割り付けるかについては、横書き文書は各ページの最初の文字が左上に最後の文字が右下にあり、縦書き文書は各ページの最初の文字が右上に最後の文字が左下にあるのが普通であるから、割り付ける４ページもこれと同じ方向に進むように、横書き文書の場合は、左上、右上、左下、右下の順にする場合が多いが、左上、左下、右上、右下の順にすることも考えられ、また、縦書き文書の場合は、右上、左上、右下、左下の順にするか、右上、右下、左上、左下の順にすることが考えられる。
　そして、紙葉（シート）をめくってみたときにも裏面の割付が表面のそれと同じとなるようにするには、本の体裁としてどのようにするか即ち上記各場合の組合せをどうするかに応じて、上記公開特許公報について説示したやり方と同様に、紙葉の表面に４ページの配列順に１，２，３，４と書き、綴じ部とするところを中心にその紙葉を裏返して、その裏返した面に同様の配列順に５，６，７，８と書いて、表面の１，２，３，４に対応する裏面に５，６，７，８がどのような配置になっているかをみれば、５，６，７，８ページをどのように割り付けることが必要かはすぐに分かることである。
　そして、請求項１で限定されているページの割付は、上記した場合（条件）の組合せのいくつかを限定しているだけであって、前記公開特許公報の形式と異なる形式のものであっても、定めた条件に従って紙葉（シート）の表面に１，２，３，４と順に記載し、綴じ部とするところを中心にして裏返してその裏面に同じ順序で５，６，７，８と記載してみれば分かることであるから、結局、本件請求項１に係る発明は、刊行物２に記載された発明と周知技術に基づいて当業者が容易に推考することができたものと認められる。
　また、請求項２〜４に係る発明についても、請求項１に係る発明についての判断と同様である。
　請求項５に係る発明については、この項で付加する特徴点は、処理対象の画像がどのように作製されたものであるかを限定している程度のものと解されるが、処理対象の画像を読取手段で読み取られたものとすることは周知技術にすぎず刊行物２のものもそのようなものであるから、限定を付加した点に格別の意義は認められない。
　つぎに、請求項６に係る発明について検討する。
　シートの両面に画像を形成する複写装置等においては、複写されたシートは裏面が上となって排出されるものも普通であって、このように複写されたシートが排出順に積み重ねられたものは、その積み重ねられた状態で表裏を含めたページが連続するものとなるから、そのまま綴じてもページが順に連続した本形式にできることは明らかである。
　請求項６においては、排出されたシートの後端を綴じる結合手段を備えたことが限定されているが、ポートレート形式の横書き原稿をシートにコピーして排出されたシートを複数枚の重ねてそのまま綴じるステープラ（結合手段）を有する複写機は周知のものであり（例えば、特開平４−３６８８９０号公報等参照。）、請求項１〜４に係る装置にこのような結合手段を設けることは当業者が適宜なし得るものと認められる。
（請求項１〜４に係る装置においては、シートの片面に原稿４ページ分が所定に順で割り付けられるもので、綴じ部の位置もシートの表面からみて左側、上側、右側がある（下側にすることもあり得るが下側にすることは日本ではきわめて稀である。）ことを前提に綴じ部となる側が排出されるシートの後端となるように原稿４ページの配列および向きを定めておくことを意図したもの、と考えられないではないが、そのようなことは請求項６には間接的にも限定されていない。のみならず、そのことが特許請求の範囲に限定されているとしても、そのようにすることは当業者にとって自明なものの域を出ない。（明細書の発明の詳細な説明にも特段説明されていないから、自明なものでなければ、当初明細書および図面に記載した事項の範囲内のものとはならないこととなる。））
　従って、この項で限定を付加した点に格別の意義は認められない。
　請求項７に係る発明については、この項で付加する特徴点は、請求項１〜４における第１モードと第２のモードの定義と、請求項６における綴じる結合手段の作動態様からの当然の帰結といえる事項を限定しているにすぎず、従って、この項で限定を付加した点にも格別の意義は認められない。
　請求項８で付加する特徴点も、上述したように、当業者に自明のことを限定しているにすぎないものと認められるから、この項で限定を付加した点にも格別の意義は認められない。
　請求項９および請求項１０でそれぞれ付加限定する点も、日本語の文章の標準的な記載書式に従って作成されたオリジナル文書を表裏にそれぞれ複数割付たシート複数枚からなる文書を綴じることを前提とした場合の当然の事項を限定しているにすぎないものと認められるから、これらの項で限定を付加した点にも格別の意義は認められない。
　請求項１１で付加する特徴点は、シートに原稿４ページ分の画像の割付が所望のものとなるようにするためにオペレータがその割付となるような制御内容情報を入力できるようにしたことを限定しているものと解されるが、制御機器において、オペレータが制御内容情報を入力できるようにすることは慣用技術にすぎないから、この項で限定を付加した点にも格別の意義は認められない。
　請求項１２で付加する特徴点は、請求項１〜４でシートの長辺を綴じる場合を第１モードと定義しシートの短辺を綴じる場合を第２モードと定義しているのであるから、綴じ代を設けるとすれば請求項１２で限定しているように設ける必要があることは当然かつ自明のことであり、しかも両面複写機において複写されたものに綴じ代を設けるようにすることは周知技術にすぎないから（例えば、特開平４−４１２７５号公報、特開平５−６０４９号公報等参照。）、この項で限定を付加した点にも格別の意義は認められない。
　請求項１３で付加する特徴点は、画像形成装置内でシートに画像を形成する過程でシートを進行方向に短辺を平行となるようにするか、長辺を平行となるようにするかを、第１のモードのときと第２のモードのときに分けて限定したものと解されるが、この請求項の限定のようにしてもこの請求項の限定のようにしない場合に比べて格別の技術的意義があるとは認められず、単なる設計事項の限定にすぎないから、この項で限定を付加した点にも格別の意義は認められない。（ちなみに、請求項６に係る発明において請求項１３で限定しているようにすれば、技術的には意味があるといえようが、もともと選択肢が２つしかないものであるから、そのようにすることも当業者ならば容易に推考できる程度のものと考えられる。）
　請求項１４で付加する特徴点は、コンピュータで作製した画像を割付対象の画像とすることを限定したものと解されるが、コンピュータで画像を作製することは技術常識にすぎないから、この項で限定を付加した点にも格別の意義は認められない。
　請求項１５で付加する特徴点は、上記各場合の組合せのうちの画像の向き、配置の組合せの態様を複数予め画像形成装置に記憶させておくようにして（その記憶される各組合せの態様をテーブルと称していると解される。）、ユーザは、複数のものの一つを選択することにより所望の画像形成ができるようにしたものと解されるが、画像形成装置において、階調補正などをする場合に補正形態に応じた複数の換算表（テーブル）を予め準備しておき、ユーザはそのうちの一つを選択することにより所望の画像形成ができるようにしたもの等が、慣用技術となっていることを考慮すると、この項で限定を付加した点のようにすることは当業者が容易に推考できるものと認められ、従って、この項で限定を付加した点にも格別の意義は認められない。
  請求項１６〜請求項３１に係る発明は、請求項１〜請求項４に係る発明の装置の動作を特定してそれを制御方法としたものに相当するから、請求項１６〜請求項３１に係る発明の進歩性については、請求項１〜請求項４に係る発明に係る上記判断と同様である。
　請求項３２〜３４に係る発明は、請求項５〜７に係る発明の装置の動作を特定してそれを制御方法としたものに相当するから、請求項３２〜３４に係る発明の進歩性については、請求項５〜７に係る発明に係る上記判断と同様である。
  請求項３５に係る発明については、この項で引用する請求項１６乃至２７に係る発明においては長辺を綴じる第１モードであっても左側または右側を綴じる場合だけでなく上側を綴じる場合を含んでおり、また、短辺を綴じる第２モードであっても上側を綴じる場合だけでなく左側または右側を綴じる場合を含んでいて、表面の画像をみてからシートをめくってその裏面をみたときに画像の向きが反対となっているものを含んでいて、この場合何故このようにするのか明らかでないから、このようなものは誤記であるとして除外して検討すると、上述の当業者に自明の事項を限定しているにすぎないから、この項で限定を付加した点にも格別の意義は認められない。
　請求項３６〜４２に係る発明については、それぞれ請求項９〜１５に係る発明において付加限定した点と同様のものであるから、それぞれ請求項９〜１５に係る発明に係る上記判断と同様である。
　以上は、刊行物２に記載の発明と周知技術に基づいて、本件請求項１〜４２に係る発明が当業者が容易になし得たものと判断したものであるが、刊行物１に記載の発明もプリンタという点で本件発明でいうところの画像形成装置に含まれるということができるから、上述の理由と同様の理由で、本件請求項１〜４２に係る発明は、刊行物１に記載された発明と周知技術に基づいても当業者が容易に推考することができたものと認められる。
　
４．むすび
　以上から明らかなとおり、本件請求項１〜４２に係る発明についての特許は、特許法第２９条第２項の規定に違反してなされたものであるから同法第１１３条第２号に該当し、取り消されるべきものである。
　よって、結論のとおり決定する。
【異議決定日】
平成１５年８月５日（２００３．８．５）